(57)【要約】      （修正有）【課題】展開作業や格納作業の愉しみ、独特な形態の格納状態を愉しみ、その実用性を愉しみ、生活の動作の中で愉しみを提供することのできる、格納・展開できる台の構造を提案する。【解決手段】座部１２と、該座部１２の下部に固設された棒状の脚部１３とを備えて、台１０を構成し、台１０の座面と床面とが略同一平面となる状態に台を格納可能な格納部を床１１に形成した。台１０の脚部１３の外周に雄ネジ１３ａを、脚部１３が格納される脚格納部１４の内周に雌ネジ１４ａを形成し、台１０を回転させ、台１０を昇降させることによって、使用可能な状態に展開し、また、格納部に格納できるようにした。【選択図】図１
2006037574.tif 000002
【特許請求の範囲】
【請求項１】
座部と、該座部の下部に固設された棒状の脚部とを備えて、台を構成し、
台の座面と床面とが略同一平面となる状態に台を格納可能な格納部を床に形成し、
前記台を昇降可能とした
ことを特徴とする格納・展開できる台。
【請求項２】
前記台の脚部の外周と、
前記格納部の脚部が格納される部分の内周とに、ネジを形成し、
台の脚部を格納部に対して螺入可能とした、
請求項１に記載の格納・展開できる台。
【請求項３】
天板と、該天板に対して略平行に重ね合わせた状態と略直交方向に突き合わせた状態とを現出可能に固定された脚板とを備えて、台を構成し、
天板と脚板とを略平行に重ね合わせた状態で台を格納可能な格納部を形成し、
台を略水平方向に移動させて格納部より引き出し可能とした
ことを特徴とする格納・展開できる台。
【請求項４】
前記天板に、該天板の移動方向と同一方向に延在するとともに、該天板の移動長さと略同一長さの溝を形成し、
前記格納部に、前記溝に嵌入するダボを設けた、
請求項３に記載の格納・展開できる台。
【請求項５】
前記台が縁台であり、前記格納部を基礎に形成した、
請求項３又は請求項４のいずれかに記載の格納・展開できる台。
【請求項６】
空間と空間とを仕切る壁に、回転扉を設け、
該回転扉に凹部を備えて台を形成した
ことを特徴とする格納・展開できる台。
【請求項７】
前記台に、回転扉の内部と連通する開口孔を形成するとともに、
回転扉の内部を天井裏又は床下に連通した、
請求項６に記載の格納・展開できる台。
【発明の詳細な説明】
【技術分野】
【０００１】
本発明は、格納したり、使用可能に展開したりすることのできる台の構造に関する。
【背景技術】
【０００２】
通常は、コンパクトに折り畳んだ状態とされたり、デッドスペースに配置されたりして、格納されており、使用する際に展開して使用可能な状態とする台が知られている。例えば、電車や航空機の座席背面に設けられたテーブル、電車やバス等の補助座席、公衆トイレのベビーオムツ換え台、映画館の座席、折り畳みベッド等である。これらは、使用される頻度の少なかったり、使用時間が短かったりするため、空間の有効利用や、清掃時等の利便性の向上を目的として、格納した状態に設置される。
【０００３】
また、住宅等の私的空間においても、床下に机や椅子等の家具を格納し、使用時には、これらを展開させて使用可能な状態とする技術が知られている。例えば、特許文献１に記載の技術である。
特許文献１では、机と椅子とを床及び床下空間を用いて構成し、通常は床面より下方に格納し、使用時には、床の一部を上昇させて机とし、床の一部を回転させて椅子を出現させ、机と椅子とを使用可能な状態とする技術が、公開されている。この技術では、机や椅子等の家具が、不使用時には、室内空間に存在せず、必要に応じて室内空間に出現させるので、室内空間を有効に広く利用することができる。
【特許文献１】特開２００３−１０５９６３号公報
【発明の開示】
【発明が解決しようとする課題】
【０００４】
上述のような、通常格納された状態であって使用時に展開させる台の、展開する作業や格納する作業は、様々である。
例えば、電車や航空機の座席背面に設けられたテーブルにおいて、使用可能な状態に展開する作業は、テーブルを係止している係止部材を回転させて係止を解除し、テーブルを引き倒し、略水平方向にテーブルをスライドさせて位置調整するものである。また、格納する作業は、略水平方向にテーブルをスライドさせたのち、該テーブルを押し上げ、係止部材を回転させて該係止部材にて座席背面にテーブルを係止させるものである。
また、例えば、電車やバス等の補助座席であれば、使用可能な状態に展開する作業は、開く動作を単数回又は複数回行うものであり、格納する作業は、閉じる動作を単数回又は複数回行うものである。特に、バスの補助座席を展開する作業は、座席を横方向に開き、更に、背もたれを後ろ側へ開き、場合によっては、頭もたれを後ろ側に開くものであり、開く方向が少なくとも二方向ある。
【０００５】
上述の如く、展開作業や格納作業には様々な動作が伴い、その独特な動作を必要とする作業を楽しむこともできる。
そこで、本発明では、展開作業や格納作業の愉しみ、独特な形態の格納状態を愉しみ、さらに、その実用性を愉しみ、生活の動作の中で愉しみを提供することのできる、格納・展開できる台の構造を提案する。
【課題を解決するための手段】
【０００６】
本発明の解決しようとする課題は以上の如くであり、次にこの課題を解決するための手段を説明する。
【０００７】
即ち、請求項１においては、座部と、該座部の下部に固設された棒状の脚部とを備えて、台を構成し、台の座面と床面とが略同一平面となる状態に台を格納可能な格納部を床に形成し、前記台を昇降可能としたものである。
【０００８】
請求項２においては、前記台の脚部の外周と、前記格納部の脚部が格納される部分の内周とに、ネジを形成し、台の脚部を格納部に対して螺入可能としたものである。
【０００９】
請求項３においては、天板と、該天板に対して略平行に重ね合わせた状態と略直交方向に突き合わせた状態とを現出可能に固定された脚板とを備えて、台を構成し、天板と脚板とを略平行に重ね合わせた状態で台を格納可能な格納部を形成し、台を略水平方向に移動させて格納部より引き出し可能としたものである。
【００１０】
請求項４においては、前記天板に、該天板の移動方向と同一方向に延在するとともに、該天板の移動長さと略同一長さの溝を形成し、前記格納部に、前記溝に嵌入するダボを設けたものである。
【００１１】
請求項５においては、前記台が縁台であり、前記格納部を基礎に形成したものである。
【００１２】
請求項６においては、空間と空間とを仕切る壁に、回転扉を設け、該回転扉に凹部を備えて台を形成したものである。
【００１３】
請求項７においては、前記台に、回転扉の内部と連通する開口孔を形成するとともに、回転扉の内部を天井裏又は床下に連通したものである。
【発明の効果】
【００１４】
本発明の効果として、以下に示すような効果を奏する。
【００１５】
請求項１においては、通常、台を床に格納した状態とし、必要に応じて格納部から台を上昇させて使用可能な状態とすることができ、空間を有効に利用することができる。
【００１６】
請求項２においては、台を回転させることにより、座部を上昇又は降下させることができ、台の展開又は格納作業が簡易であるとともに、座部の高さ調整が容易である。また、台を使用可能な状態とする展開作業を愉しみ、台を格納する格納作業を愉しむことができて、生活に「遊びの要素」を備えることができる。
【００１７】
請求項３においては、通常、台を床に格納した状態とし、必要に応じて格納部から台を移動させて使用可能な状態とすることができ、空間を有効に利用することができる。また、台を使用可能な状態とする展開作業を愉しみ、台を格納する格納作業を愉しむことができて、生活に「遊びの要素」を備えることができる。
【００１８】
請求項４においては、溝及びダボによって台の移動をガイドすることができ、また、格納部からの台の抜け落ちを防止することができる。
【００１９】
請求項５においては、縁台を基礎に格納することで、狭い庭であってもガーデニングや物干しのスペースと縁台のスペースを共存させることができる。
【００２０】
請求項６においては、回転扉を回転させることで、台及び台に設置されたものを、展開したり、格納したりすることによって、空間の雰囲気を変化させることができる。
【００２１】
請求項７においては、台に電気機器を設置した際に、その配線を回転扉内部に見た目良く納めることができる。
【発明を実施するための最良の形態】
【００２２】
本発明に係る格納・展開できる台は、通常は生活空間外に格納された状態にあり、使用時に展開して生活空間に出現させ使用できる状態とすることを特徴としている。すなわち、展開と格納の作業を施すことができることを特徴としている。なお、ここで生活空間とは、実質的に活動できることのできる空間を差し、床下や天井裏等は生活空間外に位置することとする。
この格納・展開できる台を日常生活に採り入れることで、台を生活空間に出現させる展開作業を愉しみ、また、台が生活空間に存在する状態から生活空間外へ格納する格納作業を愉しむことができる。そして、この格納・展開できる台は独特な格納状態を有し、そのデザインを愉しむことができる。
上述の如く、収納できる台は、実用性を備えながらも、「遊びの要素」を備えるものである。
下記第一実施例から第三実施例にて、上記格納・展開できる台について詳細に説明する。
【実施例１】
【００２３】
本発明の第一実施例について説明する。
図１は本発明の第一実施例に係る格納・展開できる台の構造を示す側面図、図２は格納・展開できる台の斜視図、図３は格納・展開できる台の使用形態を示す図である。
図４は格納・展開できる台を備えた部屋の様子を示す図である。
【００２４】
第一実施例では、椅子等として利用することのできる「格納・展開できる台」について説明する。
【００２５】
図１及び図２に示す如く、台１０は、床１１（床面及び床下）に格納される。床１１は生活空間外であり、格納された状態にある台１０は、生活空間である室内空間を狭めることなく存在している。
また、台１０は、床１１に格納された状態から、床１１の上方へ進出させることによって生活空間に出現し、使用可能な状態に展開される。
【００２６】
前記台１０は、座部１２と、脚部１３とで構成される。そして、台１０は床１１を座部１２の形状に切り欠いて形成した座格納部１１ａに格納される。台１０の座部１２は、床１１の表面と座面１２ａとが略同一平面となるように、すなわち、座面１２ａが床面より高かったり低かったりして床１１の表面に凹凸を形成しないように、床１１の座格納部１１ａに格納される。
【００２７】
台１０の座部１２は、本実施例においては平面視円形状であって、座面１２ａは床１１の表面と同様のデザイン（模様）が施される。これにより、台１０を床１１に格納した状態において、床面に違和感を与えることなく、室内空間に台１０を調和させることができる。
但し、座面１２ａのデザイン（模様）を床１１の表面と異なるものとして、床１１から出現させることのできる台１０であることを強調し、その存在感を愉しむこともできる。
なお、台１０の座部１２には、生活空間に突出しない座部１２を容易に回転させることができるように、生活空間側に対して進退可能なハンドル１６が備えられる。
【００２８】
台１０の脚部１３は、座部１２の下面に固設される。脚部１３は一本の棒状部材であって、その外周に雄ネジ１３ａが形成される。
なお、脚部１３には、抜け防止及び緩み防止のためのナット１３ｂが外嵌され、座部１２下面は該ナット１３を嵌入可能に凹部が形成される。
【００２９】
床１１には、前記座格納部１１ａに連続する脚格納部１４が形成される。脚格納部１４は、座格納部１１ａより下方へ突出した筒状体であり、その内周部に雌ネジ１４ａが形成される。座格納部１１ａは床１１の下方に突出することになるので、座格納部１１ａの内周部や台１０の脚部１３が錆びることのないように、座格納部１１ａは下方が閉塞された一端閉塞の筒状体とされる。
【００３０】
そして、上記台１０の脚部１３に形成された雄ネジ１３ａと、脚格納部１４の雌ネジ１４ａとによって、台１０の脚部１３は回転しながら脚格納部１４より進退する。すなわち、台１０の座部１２を一方向に回転させることにより、台１０の脚部１３を脚格納部１４より進出させ、また、座部１２を他方に回転させることにより、台１０の脚部１３を脚格納部１４へ後退させることができる。
このように、台１０を回転させることにより、台１０の座部１２の高さ位置を調節することができる。
【００３１】
上述の台１０を、生活空間外である床１１に格納した状態から、使用可能な状態に展開して生活空間に出現させるためには、台１０の座部１２に設けられたハンドル１６を起立させてハンドル１６に手を掛けることのできる状態とし、ハンドル１６を持って座部１２を回転させると、徐々に座部１２が上昇する。そして、所望の高さになるまで座部１２を回転させて、台１０を使用するに適した状態とする。
また、台１０を使用可能に生活空間に出現した状態から、床１１に格納するためには、座部１２を展開するときとは反対方向に回転させて、座部１２を徐々に降下させる。座部１２の周囲に手が回らなくなるまで降下すれば、ハンドル１６を起立させてハンドル１６に手を掛けて座部１２を回転させ、座格納部１１ａに座部１２が嵌合し、床１１の表面と座部１２の表面とが略同一平面となるまで、座部１２を降下させる。
【００３２】
台１０は座部１２の高さ位置を容易に調節可能であるので、子供や大人、その台１０を利用する人に応じて高さを調節することができる。そして、台１０を椅子として利用する際に、机の高さ（形態）に応じて台１０の座部１２の高さを調整することができる。机がテーブルであるときには椅子として（図３（ａ））、机が座卓であるときには、正座用椅子として（図３（ｂ））、座部１２の高さを調整することができる。
【００３３】
図４では、上記台１０を備えた部屋の様子の一例を示している。部屋の床１１の適宜位置に台１０が椅子として設けられている。
台１０は、必要な数だけを、展開して生活空間に出現させて椅子として使用可能な状態とし、不要な数は床１１に格納した状態とすることができる。従って、台１０を必要とする人数に応じて、必要な数の台１０を生活空間に出現させることができ、生活空間を広く有効に利用することができる。
【００３４】
椅子は、折り畳むことができても、また、積み重ねることができても、格納にスペースを必要とする。これに対し、上記台１０は、生活空間外である床１１（床及び床下）を格納スペースとして有効に利用することにより、生活空間を狭めることなく、椅子としての台１０を備えることができる。
また、椅子としての台１０は、場面や人数に合わせて、必要な数だけを生活空間に出現させることができるので、生活空間にある台１０の数、また、その高さによって、生活空間の演出することができる。
そして、本実施例に係る台１０では、台１０の展開作業及び格納作業は、台１０を回転させる動作を行うものである。この台１０を回転させるという動作を、愉しみ、生活に遊びの要素を採り入れることができる。
上述の如く、台１０の、展開して生活空間に出現させる作業を愉しみ、また、生活空間に存在する状態から生活空間外へ格納する作業を愉しむことができる。そして、台の独特な格納状態やデザインを愉しむことができる。
【００３５】
なお、台１０は椅子としての利用に限定されず、机としたり、植物台としたり、電話台としたり、広く物を載置する台として、また、脚立感覚で使用する足の踏み場としての台として、利用することができる。
【００３６】
また、上記台１０の、回転させることにより生活空間へ展開する形態は、台のみならず、他のものにも応用させることができる。
例えば、脚部１３を中空管で構成し、脚部１３の内部を電気配線スペースとして利用し、座面１２ａに、照明を載置したり取り付けたりして、上下高さ調整可能な照明とすることもできる。
【実施例２】
【００３７】
本発明の第二実施例について説明する。
図５は本発明の第二実施例に係る格納・展開できる台の斜視図、図６は格納した状態の格納・展開できる台の構造を示す側面図、図７は展開した状態の格納・展開できる台の構造を示す側面図、図８は格納・展開できる台の構造を示す正面図、図９は図８におけるＡ−Ａ断面図である。
図１０は格納・展開できる台を備えた庭の様子を示す図である。
【００３８】
第二実施例では、生活空間外である基礎内部に格納され、生活空間である庭に展開して縁台として利用することのできる「格納・展開できる台」について説明する。
但し、本実施例に係る「格納・展開できる台」の構造は、縁台のみに適用されうるものではなく、例えば、部屋の内部に設ける予備の椅子や荷物台等とすることもできる。
【００３９】
図５乃至図８に示す如く、台２０は住宅等の建物の基礎２１の立ち上がり部より引き出し可能であって、基礎２１内部に格納される。住宅の床下には、基礎２１に開口する格納部２１ａが形成され、該格納部２１ａに台２０が略水平方向に摺動可能に格納される。なお、格納部２１ａの延長線上には、収納時の台２０を支持するための支持ステー２７が基礎２１に固設される。
【００４０】
台２０は、天板２３と、該天板２３の下面にヒンジ２６を介して固定された脚板２４とで構成される。天板２３及び脚板２４はいずれも板状部材であって、脚板２４は天板２３に対して略９０度回転することが可能である。台２０の格納時には、天板２３と脚板２４とが略平行に重ね合わせた状態（図６）とし、また、展開時には天板２３と脚板２４とが略直交方向に突き合わせた状態（図７）とすることが可能に構成されている。
【００４１】
天板２３には、図８及び図９に示す如く、該天板２３を引き出す際に手を掛けることにできるように、引き手２３ｂが天板２３の前部下面の一部を切り欠いて一体的に形成される。なお、引き手２３ｂに手を掛けることができるように、脚板２４の上部には切り欠き２４ａが形成される。
【００４２】
また、天板２３の側面には、ガイド溝２３ａが形成され、基礎２１の格納部２１ａの周囲にはダボ２５が形成される。ガイド溝２３ａは、天板２３の移動方向と同一方向に延在するとともに、該天板２３の移動長さと略同一長さの溝であって、該ガイド溝２３ａの端部は、天板２３の側面に位置し、ガイド溝２３ａの両端は閉じられている。また、ダボ２５は、格納部２１ａより、台２０側に向けて突出している。
ダボ２５はガイド溝２３ａに嵌入しており、展開又は収納する際、天板２３を略水平方向に摺動させるときに、ダボ２５がガイド溝２３ａに嵌入された状態で該ガイド溝２３ａの内周に沿って移動する。
このダボ２５とガイド溝２３ａによって、天板２３の移動がガイドされ、また、天板２３が、格納部２１ａから抜け落ちることのないようにしている。
【００４３】
上述の台２０は、基礎２１の内部に格納された状態では、天板２３と脚板２４が略平行となるように折り畳まれた状態で、基礎２１の格納部２１ａに挿入されている。
そして、天板２３に形成された引き手２３ｂに手を掛けて、台２０を格納部２１ａより引き出し、脚板２４をヒンジ２６を中心として回転させて開き、該脚板２４を略垂直に立たせて天板２３を支持させることにより、台２０を使用可能な状態に展開することができる。
また、台２０が展開した状態から、脚板２４をヒンジ２６を中心として回転させて天板２３と脚板２４が略平行となるように折り畳み、台２０を略水平方向に格納部２１ａへ押し入れることによって、台２０を格納することができる。
上述の如く、台２０を使用可能な状態とする展開作業では、引き出す→開く、動作を行い、格納作業は、折り畳む→押し入れる、動作を行う。このように、台２０の使用に際して、展開作業と格納作業とを必要とし、この作業を愉しむことで、生活に遊びの要素を採り入れることができる。
上述の如く、台２０の、台を展開して生活空間に出現させる作業を愉しみ、また、台２０が生活空間に存在する状態から生活空間外へ格納する作業を愉しむことができる。そして、台２０の独特な格納状態やデザインを愉しむことができる。
【００４４】
図１０に示す如く、上述の台２０は、庭に設置される縁台２０として使用することができる。
縁台としての台２０は、必要に応じて、生活空間外である基礎２１の内部に格納した状態から、生活空間へ展開させて使用可能な状態とすることができるので、狭い庭であっても、庭という生活空間を有効に利用することができる。すなわち、台２０の不使用時には、台２０が展開される場所である生活空間を、洗濯物を干したり、植物を育てたりするスペースとして利用することができるのである。
また、台２０は、不使用時には格納されるので、特に、台２０が木材等の自然素材で構成された物である場合に、風雨に曝される頻度を低減させ劣化を防止することができる。
【実施例３】
【００４５】
本発明の第三実施例について説明する。
図１１は本発明の第三実施例に係る格納・展開できる台を備えた回転扉の斜視図、図１２は格納・展開できる台を備えた回転扉の構造を示す正面図、図１３は格納・展開できる台を備えた回転扉の構造を示す側面断面図である。
図１４は格納・展開できる台を備えた回転扉を備えた部屋の様子を示す図である。
【００４６】
第三実施例では、室内において部屋と部屋とを仕切る壁面に設けられ、テレビやオーディオ機器等を載せるための台として利用することのできる「格納・展開できる台」について説明する。
【００４７】
図１１乃至図１３に示す如く、台３４は壁３１に嵌め込まれた回転扉３０に形成される。
回転扉３０には、上下方向中途部に凹部が形成されており、ここが台３４として機能する。回転扉３０は、部屋の間仕切壁３１に設けられた開口３１ａに嵌入された開口枠３２に嵌入される。開口枠３２は、回転扉３０を支持するため、柱４１・４１や梁４２・４２により形成される構面内に嵌め込まれ、柱４１・４１や梁４２・４２に固設されて、十分な強度が備えられる。
【００４８】
前記回転扉３０は開口３１ａを閉塞する建具として利用され、回転扉３０を回転させることによって、間仕切壁３１に部屋間を往来することができる開口を出現させることができる。回転扉３０は、本来回転扉が有する、通行や通気といった目的を失うことなく、物を載置することのできる台３４としての機能を有しているのである。
回転扉３０の上下には回転軸３３・３３が突出しており、該回転軸３３・３３は、開口枠３２に形成された軸受け３２ａ・１２ａに嵌入される。すなわち、回転扉３０は開口枠３２に回動可能に支持され、回転軸３３・３３を回転の中心として回動することができる。
【００４９】
前記回転扉３０に形成された台３４には、例えば、テレビ３８等の電気を必要とする機器が載置される。このため、回転扉３０の内部は配線空間として利用され、該回転扉の内部は天井裏又は床下に連通される。図１３に示す如く、台３４には、コンセントや、配線を通すための、台３４と回転扉３０の内部とを連通させる孔３９が設けられる。そして、これらの配線は、回転扉３０の内部を通り、筒状に形成された回転軸３３・３３の内部を通って、天井又は床下に至り、ここから配線源に接続される。従って、配線を見た目良く納めることができる。
【００５０】
図１４に示す如く、上記台３４を備えた回転扉３０は、例えば、ウォークインクローゼットや物置、押し入れ等の格納庫と部屋との間の間仕切壁に設けられる。これにより、回転扉３０を回転させることにより、台３４を生活空間である室内側へ出現させたり、生活空間外である格納庫内へ格納したりすることができる。
【００５１】
また、図１４に示す如く、上記台３４を備えた回転扉３０は、例えば、寝室とリビングルーム等、いずれも生活空間であって異なる目的のための部屋を仕切る間仕切壁に設けられる。回転扉３０を回転させることで、台３４及び台３４に設置されたものを、展開したり（見せたり）、格納したり（隠したり）することによって、空間の雰囲気を変化させることができる。
この場合、台３４に設置されたものは、間仕切壁にて仕切られている二つの空間の両方で利用することが可能である。よって、台３４に設置された一つのものを二つの空間で共有することができ、それぞれの空間に備える必要がなく、経済性・利便性を図ることができる。
【００５２】
上述の如く、回転扉３０を回転させて、台３４を展開したり格納したりする作業を愉しむことができる。従って、この台３４を備えた回転扉３０によって、空間に遊びの要素が備えられることになる。
【図面の簡単な説明】
【００５３】
【図１】本発明の第一実施例に係る格納・展開できる台の構造を示す側面図。
【図２】格納・展開できる台の斜視図。
【図３】格納・展開できる台の使用形態を示す図。
【図４】格納・展開できる台を備えた部屋の様子を示す図。
【図５】本発明の第二実施例に係る格納・展開できる台の斜視図。
【図６】格納した状態の格納・展開できる台の構造を示す側面図。
【図７】展開した状態の格納・展開できる台の構造を示す側面図。
【図８】格納・展開できる台の構造を示す正面図。
【図９】図８におけるＡ−Ａ断面図。
【図１０】格納・展開できる台を備えた庭の様子を示す図。
【図１１】本発明の第三実施例に係る格納・展開できる台を備えた回転扉の斜視図。
【図１２】格納・展開できる台を備えた回転扉の構造を示す正面図。
【図１３】格納・展開できる台を備えた回転扉の構造を示す側面断面図。
【図１４】格納・展開できる台を備えた回転扉を備えた部屋の様子を示す図。
【符号の説明】
【００５４】
１０・２０・３４  台
３０  回転扉
【図１】
2006037574.tif 000003
【図２】
2006037574.tif 000004
【図３】
2006037574.tif 000005
【図４】
2006037574.tif 000006
【図５】
2006037574.tif 000007
【図６】
2006037574.tif 000008
【図７】
2006037574.tif 000009
【図８】
2006037574.tif 000010
【図９】
2006037574.tif 000011
【図１０】
2006037574.tif 000012
【図１１】
2006037574.tif 000013
【図１２】
2006037574.tif 000014
【図１３】
2006037574.tif 000015
【図１４】
2006037574.tif 000016